(57)【要約】リアパネル（１２）と、これに空間を隔ててリアパネルを覆って側方に内側へと延びている、折り曲げ可能に接続した一対のフロントフラップ（３０）と、上記フロントフラップを覆って上方に延びている、折り曲げ可能に接続したフロントパネル（３４）と、閉鎖位置で上記フロントパネルを覆って下方に延びている、折り曲げ可能に接続したカバーパネル（３８）と、を含んでなる、物品のための容器。リアパネルとフロントフラップとフロントパネルとが、フィルムカートリッジ、写真、またはそれに類するもののための第１の区画を規定している。フロントフラップとフロントパネルとが、その重なった部分の間で、ネガまたはそれに類するもののための第２の区画を規定している。閉鎖位置にあるとき、あるいは、容器が、輸送または保管のために、折りたたまれ、折り曲げられた状態に維持されているとき、フロントパネルがフロントフラップと解放可能に接続され、カバーパネルがフロントパネルに解放可能に接続できる。
2004522663.tif 000002
【特許請求の範囲】
【請求項１】
リアパネルと、
上記リアパネルの側部に折り曲げ可能に接続しており、上記リアパネルを覆って側方に内側へと延びている一対のフロントフラップと、
上記リアパネルの底部に折り曲げ可能に接続しており、上記フロントフラップを覆って上方に延びているフロントパネルと、
上記リアパネルの上部に折り曲げ可能に接続しており、閉鎖位置で上記フロントパネルを覆って下方に延びているカバーパネルと、
を含んでなる、フィルムカートリッジ、写真、ネガ、またはそれに類するもののような物品のための、折りたたみおよび再閉鎖が可能な容器であって、
上記リアパネルと上記フロントフラップと上記フロントパネルとが、フィルムカートリッジ、写真、またはそれに類するもののための第１の区画を規定しており、上記フロントフラップと上記フロントパネルとが、その重なった部分の間で、上記第１の区画の前部に、ネガまたはそれに類するもののための第２の区画を規定しており、
上記容器が上記フロントパネルに、またはフロントパネル付近に第３のスリットを有しており、上記カバーパネルが、上記第３のスリットと解放可能に噛み合わせられ、上記容器を折りたたまれた、実質的に平坦な状態に維持させる第２のロッキングタブを有しており、
上記折りたたまれた状態では、上記フロントフラップが上記リアパネルに近接して実質的に平行であり、上記フロントパネルが上記フロントフラップに近接して実質的に平行であり、上記カバーパネルが上記フロントパネルに近接して実質的に平行である容器。
【請求項２】
サイドパネルが、上記リアパネルと上記フロントフラップとの間に配置されて、これらに折り曲げ可能に接続されており、トップパネルが上記リアパネルと上記カバーパネルとの間に配置されて、これらに折り曲げ可能に接続されており、ボトムパネルが上記リアパネルと上記フロントパネルとの間に配置され、これらに折り曲げ可能に接続されており、上記サイドパネルと上記トップパネルと上記ボトムパネルとが実質的に同じ幅である請求項１に記載の容器。
【請求項３】
上記容器が上記折りたたまれた状態にあるとき、上記サイドパネルが上記リアパネルに近接して実質的に平行であり、上記ボトムパネルが上記フロントフラップおよびサイドパネルに近接して実質的に平行であり、上記トップパネルが上記フロントフラップおよび上記サイドパネルに近接して実質的に平行である請求項２に記載の容器。
【請求項４】
上記容器が組み立てられた状態にあるとき、上記フロントフラップが上記リアパネルと実質的に平行で空間を隔てており、上記サイドパネルが上記リアパネルおよび上記フロントフラップと実質的に垂直であり、上記ボトムパネルが上記リアパネルおよび上記フロントパネルと実質的に垂直であり、上記カバーパネルが上記閉鎖位置にあるときに上記トップパネルが上記リアパネルおよび上記カバーパネルと実質的に垂直である請求項２に記載の容器。
【請求項５】
上記カバーパネルが上記閉鎖位置にあるとき、上記フロントフラップ、上記フロントパネルおよび上記カバーパネルが上記リアパネルと実質的に平行な関係にある請求項２に記載の容器。
【請求項６】
上記フロントパネルがその中に第２のスリットを有しており、上記カバーパネルが上記閉鎖位置にあり、上記容器が上記組み立てられた状態にある場合、カバーパネル上の上記第２のロッキングタブが上記第２のスリットと取り外し可能に噛み合わせられる請求項４に記載の容器。
【請求項７】
上記サイドパネルと上記フロントフラップとの間に折り曲げ線が配され、上記折り曲げ線がこの中に第１のスリットを有し、上記フロントパネルがその側部に第１のロッキングタブを有し、上記容器が上記組み立てられた状態にあるときに、上記第１のロッキングタブが上記第１のスリットと取り外し可能にロッキング噛み合わせをする請求項４に記載の容器。
【請求項８】
透明で、柔軟性および弾力性のあるプラスチック素材の単一構造で形成されている請求項１に記載の容器。
【請求項９】
リアパネルと、
上記リアパネルの側部に折り曲げ可能に接続しており、上記リアパネルを覆って側方に内側へと折り曲げられるように適合した一対のフロントフラップと、
上記リアパネルの底部に折り曲げ可能に接続しており、上記リアパネルを覆って折り曲げられたときに、上記フロントフラップを覆って上方に折り曲げられるように適合したフロントパネルと、
上記リアパネルの上部に折り曲げ可能に接続しており、フロントパネルが上記フロントフラップを覆って上方に折り曲げられたときに、閉鎖位置にくるように上記フロントパネルを覆って下方に折り曲げられるように適合したカバーパネルと、
を含んでなる、フィルムカートリッジ、写真、ネガ、またはそれに類するもののような物品のための、折りたたみおよび再閉鎖が可能な容器を形成する平坦なブランクであって、
上記リアパネルを覆って折り曲げられたとき、上記リアパネルと上記フロントフラップと上記フロントパネルとが、フィルムカートリッジ、写真、またはそれに類するもののための第１の区画を規定するように適合しており、
上記フロントパネルおよび上記フロントフラップが上記リアパネルを覆って重なる関係となるように折り曲げられたとき、上記フロントフラップと上記フロントパネルとが、ネガまたはそれに類するもののための、上記第１の区画の前部にある第２の区画を規定するように適合しており、
上記ブランクが上記フロントパネルに、またはフロントパネル付近に第３のスリットを有しており、上記第３のスリットと解放可能に噛み合って、上記容器を折りたたまれた、実質的に平坦な状態に維持させるように適合した第２のロッキングタブを上記カバーパネルが有しており、
上記折りたたまれた状態では、上記フロントフラップが上記リアパネルに近接して実質的に平行であり、上記フロントパネルが上記フロントフラップに近接して実質的に平行であり、上記カバーパネルが上記フロントパネルに近接して実質的に平行であるブランク。
【請求項１０】
サイドパネルが上記リアパネルと上記フロントフラップとの間に配置されて、これらに折り曲げ可能に接続されており、トップパネルが上記リアパネルと上記カバーパネルとの間に配置されて、これらに折り曲げ可能に接続されており、ボトムパネルが上記リアパネルと上記フロントパネルとの間に配置され、これらに折り曲げ可能に接続されており、上記サイドパネルと上記トップパネルと上記ボトムパネルとが実質的に同じ幅である請求項９に記載のブランク。
【請求項１１】
上記リアパネル、上記トップパネル、上記サイドパネル、上記ボトムパネル、上記フロントフラップ、上記フロントパネル、および上記カバーパネルが、折り曲げ線にて折り曲げ可能に接続している請求項１０に記載のブランク。
【請求項１２】
上記サイドパネル、上記ボトムパネル、および上記トップパネルが、上記リアパネルと実質的に垂直な関係にて、それぞれ、内側へ、上方へ、および下方へ折り曲げられるように適合しており、
上記フロントフラップが、上記サイドパネルと実質的に垂直の方向へ側方に内側へと折り曲げられるように適合しており、
上記フロントパネルが、上記ボトムパネルと実質的に垂直な関係にて上方へ折り曲げられるように適合しており、
上記カバーパネルが、上記トップパネルと実質的に垂直な関係となるように下方へと折り曲げられるように適合している請求項１０に記載のブランク。
【請求項１３】
上記フロントパネルはその中に第２のスリットを有しており、上記フロントパネルおよび上記カバーパネルが上記リアパネルを覆って折り曲げられるとき、上記カバーパネルの上記第２のロッキングタブが、上記第２のスリットと取り外し可能なロッキング噛み合わせをするように適合している請求項１２に記載のブランク。
【請求項１４】
上記サイドパネルと上記フロントフラップとの間に折り曲げ線が配され、上記折り曲げ線がこの中に第１のスリットを有し、上記フロントパネルがその側部に第１のロッキングタブを有し、上記フロントフラップおよびフロントパネルが上記リアパネルを覆って内側に折り曲げられたときに、上記第１のロッキングタブが上記第１のスリットと取り外し可能にロッキング噛み合わせをするように適合している請求項１２に記載のブランク。
【請求項１５】
透明で、柔軟性および弾力性のあるプラスチック素材の単一構造で形成されている請求項９に記載のブランク。
【発明の詳細な説明】
【０００１】
[発明の背景]
本発明は、写真およびこれに類するもののような物品のための再閉鎖可能な(reclosable)容器に関し、特にフィルムカートリッジ、写真、ネガなどの物品のための区切られた区画を備えた容器に関する。
【０００２】
写真製品、特に消費者に配布する現像された写真は、従来、薄い紙の封筒型包装をされているが、これでは折り曲げ、引っかき、引き裂きによるダメージを受けやすい写真製品を十分に保護できない。このような封筒型の包装では、通常現像された写真とネガを１つの区画に含めている。また、このような紙包装は、中身を湿気への曝さないようにして劣化を防ぐことはない。そして、紙は酸性の成分を含んでおり、これがその中に保管されている写真製品にダメージを与える。
【０００３】
ネガは、写真を見直し、アルバムまたはそれに類するものに保管された後、なくしてしまうことがよくある。また、ネガは写真と別々に保管されるため、追加のプリントを求められたときに、探し出しにくく、また見分けにくい。
【０００４】
したがって、フィルムカートリッジ、写真、および／または、ネガ等の物品を、区切られた区画にて、安全な状態で、配布および保管するための、単純、強固で、再使用できる包装が求められている。本発明の新しい改良型容器はこのニーズに応えられる。また、その新規の構成により、この容器は、非使用時の折りたたんで実質的に平坦な状態で輸送や保管ができる。
【０００５】
[発明の概要]
本発明の再閉鎖可能な容器はどのような適切な素材で形成されていてもよいが、透明プラスチック、柔軟性および弾力性のある素材が好ましく、通常、標準的な現像された写真のサイズよりの大きいリアパネルを含んでいる。このリアパネルに、トップパネル、２つのサイドパネル、ボトムパネルが、折り曲げ可能に接続されており、これらのすべてが実質的に同じ幅であり、この幅はフィルムカートリッジ、現像された写真のセット、これのネガが収まる程度に大きい。フロントパネルは、ボトムパネルの外縁に折り曲げ可能に接続されており、トップパネルの外縁にはカバーパネルが折り曲げ可能に接続されている。各サイドパネルは、その外縁に折り曲げ可能に接続したフロントフラップを有している。
【０００６】
組み立てられた容器では、トップパネル、サイドパネル、およびボトムパネルが、上記リアパネルと概ね垂直な関係となるように前方へ延びている。フロントフラップは、リアパネルと空間を隔てて概ね平行な関係にて側方に内側へと延びている。フロントパネルは、リアパネルと空間を隔てて概ね平行な関係にてフロントフラップを覆って上方に延びている。カバーパネルは、リアパネルと空間を隔てて概ね平行な関係にてフロントパネルを覆って下方に延びている。
【０００７】
組み立てられたパネルは、写真、フィルムカートリッジ、またはそれに類するもののための、第１の、またはリアの区画を規定している。組み立てられたフロントフラップとフロントパネルとは、その間に、ネガまたはそれに類するもののための、狭い第２の、またはフロントの区画を規定している。容器を組み立てられた状態に維持するために、フロントパネルが、フロントフラップとサイドパネルとの間の折り曲げ線にあるスリットに、取り外し可能に収納されるロッキングタブを有している。カバーパネルは、フロントパネルのスリットに取り外し可能に収納されるロッキングタブを有している。
【０００８】
容器を、折りたたまれた、実質的に平坦な状態で輸送または保管できるようにするため、フロントパネルにおけるボトムパネルとフロントパネルとの間の接合部の近くに第３のスリットを備えており、第３のスリットがカバーパネルの第２のロッキングタブに噛み合わせられるような位置にある。折りたたまれた実質的に平坦な状態では、サイドパネルとフロントフラップとがリアパネルを覆ってこれと実質的に平行な関係にて折りたたまれ、ボトムパネルとフロントパネルとがサイドパネルとフロントフラップとを覆ってこれらと実質的に平行な関係にて折りたたまれ、トップパネルとカバーパネルとがボトムパネルとフロントパネルとを覆ってこれらと実質的に平行な関係に折りたたまれている。カバーパネルの第２のロッキングタブの第３のスリットとの取り外し可能な噛み合わせにより、容器を、輸送または保管のための、折りたたまれ、折り曲げられた、実質的に平坦な状態に維持する。
【０００９】
本発明の容器は、したがって、フィルムカートリッジ、写真、および／またはネガのための、区切られた安全な区画を提供し、単純な構成で、保管、輸送、組み立てがしやすく、開閉がしやすい。ネガは、ネガの端部と、隣接するフロントフラップおよびフロントパネルとの重なっている表面と、の間の摩擦噛み合わせ（frictional engagement）により第２の、またはフロントの区画に、留めておいてもよい。
【００１０】
〔好ましい実施の形態〕
図１は、本発明の折りたたみ可能で再閉鎖できる容器のためのブランク１０を示している。ブランク１０は、単一構造(unitary construction)で、適切な柔軟性および弾力性のある透明プラスチック材料のどれかから形成されることが好ましい。本発明の範囲内で、ブランク１０はどのような適切な素材により形成されていてもよい。
【００１１】
ブランク１０は、このブランクから形成される容器に入れようとする現像された写真、もしくはその他の物品の標準的なサイズよりも大きいサイズのリアパネル１２を含んでなる。トップパネル１４は第１の折り曲げ線１６にてリアパネル１２に接続される。サイドパネル１８は第２の折り曲げ線２０にてリアパネル１２の側部に接続される。ボトムパネル２２は第３の折り曲げ線２４にてリアパネル１２の底部に接続される。
【００１２】
一対のフロントフラップ３０は第５の折り曲げ線３２にてサイドパネル１８に接続される。フロントパネル３４は第６の折り曲げ線３６にてボトムパネル２２に接続され、カバーパネル３８は第７の折り曲げ線４０にてトップパネル１４に接続される。
【００１３】
折り曲げ線３２は、その中に第１のスリット４６を有し、第１のスリット４６は、フロントパネル３４上で側方に外側に向かって延びる第１のロッキングタブ４８によって、取り外し可能に噛み合わせられるように適合している。第１のロッキングタブ４８は外に向かってだんだん細くなるようにし、その内部側端部の近くの５０に凹部を設けることで、第１のスリット４６内にスナップはめ（snap-fitted）できるようにしていることが好ましい。
【００１４】
フロントパネル３４はその真ん中の部分に第２のスリット５２を有しており、以下に記載するように、カバーパネル３８が閉鎖位置にくるように動かしたときに、第２のスリット５２がカバーパネル３８上の第２のロッキングタブ５４によって噛み合わされるように適合している。
【００１５】
容器を、図２に示す、折りたたまれ、折り曲げられて、実質的に平坦な状態にて輸送または保管できるようにするために、フロントパネル３４は第６の折り曲げ線３６の近くに第３のスリット５６を備えており、第３のスリット５６は、カバーパネル３８の第２のロッキングタブ５４により噛み合わされるように配置されている。折りたたまれ、実質的に平坦な状態の場合、サイドパネル１８とフロントフラップ３０とがリアパネル１２を覆ってこれと実質的に平行な関係にて折り曲げられており、ボトムパネル２２とフロントパネル３４とがサイドパネル１８とフロントフラップ３０とを覆ってこれらと実質的に平行な関係にて折り曲げられており、トップパネル１４とカバーパネル３８とがボトムパネル２２とフロントパネル３４とを覆ってこれらと実質的に平行な関係にて折り曲げられている。カバーパネル３８における第２のロッキングタブ５４と第３のスリット５６との取り外し可能な噛み合わせにより、容器が、図２に示すような、輸送または保管のために、折りたたまれ、折り曲げられた、実質的に平坦な状態に維持される。
【００１６】
なお、第３のスリット５６は、カバーパネル３８の第２のロッキングタブ５４の位置に従って、本発明の範囲内で、第６の折り曲げ線３６、ボトムパネル２２またはフロントパネル３４のどの適切な位置に配してもかまわない。
【００１７】
図３は、フィルムカートリッジ、写真、ネガおよびこれに類するもののための容器を形成するように組み立てられた状態のブランク１０を示している。容器の組み立てでは、初めにサイドパネル１８が、内側に、リアパネル１２と実質的に垂直な関係となるように折り曲げられる。そして、フロントフラップ３０が、内側に、サイドパネルと実質的に垂直な関係となり、フロントフラップ３０がリアパネル１２と実質的に平行な関係となるように、折り曲げられる。
【００１８】
この後、ボトムパネル２２が、内側に、リアパネル１２と実質的に垂直な関係となるように折り曲げられる。そして、フロントパネル３４が、上方に、ボトムパネル２２と実質的に垂直な関係で、リアパネル１２と概ね平行になるように、折り曲げられる。フロントパネル３４をフロントフラップ３０と接続させるために、第１のロッキングタブ４８を内側に折り曲げ、折り曲げ線３２中の第１のスリット４６に挿入させて、これと解放可能なロッキング噛み合わせをする。
【００１９】
リアパネル１２、トップパネル１４、サイドパネル１８、ボトムパネル２２、フロントフラップ３０およびフロントパネル３４が、フィルムカートリッジ、写真Ｆまたはそれに類するものなどの物品を保持するための第１の区画を規定する。図３に示すように、フロントフラップ３０およびフロントパネル３４が、その重なった部分にて、ネガＮやそれに類するものなどの平坦な物品を保持するための、第１の区画の前に配された狭い第２の区画を規定する。
【００２０】
コンテナ１０を閉鎖するために、トップパネル１４をリアパネル１２と実質的に垂直な関係となるように下方に折り曲げ、カバーパネル３８をトップパネル１４と実質的に垂直な関係となるように下方に、かつ、リアパネル１２と実質的に平行な関係にて延びるように、折り曲げる。カバーパネルがフロントパネル３４を覆って閉鎖位置へと動かされたとき、カバーパネル３８の第２のロッキングタブ５４は、フロントパネル３４の第２のスリット５２に挿入され、これと解放可能なロッキング噛み合わせをする。第２のスリット５２から第２のロッキングタブ５４を解放することで、カバーパネル３８は再び図３の開放位置に動かされ、容器の中身にアクセスできるようになる。
【００２１】
上記詳細な記述から、単純な構成で製造が容易なブランク１０から、容易に本発明の折りたたみでき、再閉鎖できる容器が形成できることが直ちに分かるであろう。上記容器は、写真やネガをその中に保管するための区切られた区画を提供し、その中に写真やネガを封入して保護する役割を果たす。容器のプラスチック素材は、その中に保管された写真材料を湿気から保護し、また酸が含まれないのでさらに写真材料の劣化を防ぐ。
【００２２】
本発明を、現在最も実用的で好ましいとみなされる形態と関連させて記述してきたが、本発明は、開示された形態に制限されるものではなく、添付の請求項の精神と範囲内に含まれる種々の改変や同等のアレンジを対象とすることを意図したものである。
【図面の簡単な説明】
【００２３】
【図１】本発明の容器のブランクの平面図である。
【図２】本発明の容器の正面透視図であり、容器が、輸送または保管のために、折りたたまれ、折り曲げられた、実質的に平坦な状態の図面である。
【図３】本発明の容器の透視図であり、容器が、組み立てられてフィルムとネガを中に入れており、カバーパネルが開放位置にある図面である。
【国際公開パンフレット】
2004522663.tif 000003
2004522663.tif 000004
2004522663.tif 000005
2004522663.tif 000006
2004522663.tif 000007
2004522663.tif 000008
2004522663.tif 000009
2004522663.tif 000010
2004522663.tif 000011
2004522663.tif 000012
2004522663.tif 000013
2004522663.tif 000014
2004522663.tif 000015
【国際調査報告】
2004522663.tif 000016
2004522663.tif 000017